(57)【特許請求の範囲】
【請求項１】
電力が加えられる誘導コイルを内蔵して密閉防水されたコンセントと、該コンセントに装着された時に上記誘導コイルによる磁界内におかれる被誘導コイルを備えるとともに被誘導コイル出力を負荷の仕様に合致した出力とする電源調整部及び負荷接続用のコンセント部を備えているアダプターとから成り、下方に開口する凹所を備えて該凹所内に負荷接続用のコンセント部を配している上記アダプターが上記コンセントに対して着脱自在となっていることを特徴とする電源接続装置。
【請求項２】
アダプターは凹所の開口面に開閉自在な扉を備えていることを特徴とする請求項１記載の電源接続装置。
【請求項３】
扉は開口面を閉じる方向にばね付勢されていることを特徴とする請求項２記載の電源接続装置。
【請求項４】
扉はヒンジにて回動自在に取り付けられたものであることを特徴とする請求項２または３記載の電源接続装置。
【請求項５】
扉はスライド自在に取り付けられたものであることを特徴とする請求項２または３記載の電源接続装置。
【発明の詳細な説明】
【０００１】
【発明の属する技術分野】
本発明は電源接続装置、殊に庭などの屋外での使用、あるいは風呂場やキッチン等の水回りでの使用に適した電源接続装置に関するものである。
【０００２】
【従来の技術】
家屋の外壁や庭に電源コンセントを設置する場合、負荷における電源プラグが接続されることになるコンセント部を防水型ケースにおける下方側に向けて開口する凹所内に設けて、雨水などがコンセント部にかかることがないようにした防水コンセントと称されるものが使用されている。
【０００３】
【発明が解決しようとする課題】
この場合、確かに雨水がコンセント部にかかるおそれは非常に少ないが、地面より３０ｃｍ以上高いところに設置するようにしていても、飛沫がコンセント部にかかってコンセント部で短絡や漏電を生じさせてしまう虞れを有している。
本発明はこのような点に鑑み為されたものであり、その目的とするところは冠水するようなことがあっても問題を招くことがないコンセントを備えた電源接続装置を提供するにある。
【０００４】
【課題を解決するための手段】
しかして本発明の電源接続装置は、電力が加えられる誘導コイルを内蔵して密閉防水されたコンセントと、該コンセントに装着された時に上記誘導コイルによる磁界内におかれる被誘導コイルを備えるとともに被誘導コイル出力を負荷の仕様に合致した出力とする電源調整部及び負荷接続用のコンセント部を備えているアダプターとから成り、下方に開口する凹所を備えて該凹所内に負荷接続用のコンセント部を配している上記アダプターが上記コンセントに対して着脱自在となっていることに特徴を有している。
【０００５】
コンセントとの間で電磁誘導による非接触電力伝送を行うアダプターに負荷接続用のコンセント部を設けることで、通常の負荷を接続することができるにもかかわらずコンセントそのものは完全防水構造とすることができるようにしたものである。しかも上記アダプターは下方に開口する凹所を備えたものとし、負荷接続用のコンセント部は上記凹所内に配したものとしているために、負荷接続中のコンセント部についての防水を図ることができる。
【０００６】
また上記凹所の開口面に開閉自在な扉を設けたり、該扉が開口面を閉じる方向にばね付勢されたものとしておくのも好ましい。この場合の扉としてはヒンジにて回動自在に取り付けられたものやスライド自在に取り付けられたものを好適に用いることができる。
【０００７】
【発明の実施の形態】
図示例は、庭での使用を想定したものを示しており、コンセント１とアダプター２とからなる該電源接続装置におけるコンセント１は、地下に埋められた商用電源線４に接続されているとともに、インバータ１０とこのインバータ１０によって生成される高周波が加えられる誘導コイル１１とを内蔵して樹脂モールドによって完全密閉されたものとなっている。また一側面には凹部１２が設けられており、該凹部１２にアダプター２を着脱自在に嵌め込むことができるようになっている。
【０００８】
一方、アダプター２は上記コンセント１の凹部１２に装着した時、コンセント１側の誘導コイル１１によって形成される磁界内に位置することになる被誘導コイル２１を内蔵するとともに、該被誘導コイル２１に励起された高周波交流電流を該アダプター２に接続される負荷３の仕様（たとえば１００Ｖ５０／６０Ｈｚ交流や直流１２Ｖ等）に合致した電源出力とする電源調整部２２を内蔵したもので、電源調整部２２の出力に接続されたコンセント部２０を備えており、このコンセント部２０に負荷３の電源プラグ３０を接続した状態でアダプター２をコンセント１に接続すれば、コンセント１とアダプター２との間は誘導コイル１１と被誘導コイル２１とによる非接触電磁誘導で電力伝送がなされ、アダプター２と負荷３との間はコンセント部２０と電源プラグ３０との機械的接触部を通じて電力伝送がなされる。
【０００９】
そして、負荷３を接続しない時には、アダプター２ごとコンセント１から外しておくことで、庭には完全防水構造となっているコンセント１のみが残るものであり、このためにコンセント１に雨水がかかろうとコンセント１が冠水してしまうようなことがあろうと短絡や漏電といった問題を招くことがないものである。従って、コンセント１を地面６上に設置することも可能である。また、アダプター２をコンセント１に接続した状態においても、図１に示すものにおいては、コンセント部２０をアダプター２に設けられた下方に開口する凹所２３の奥部に設置していることから、雨水や散水がかかっても問題を招くようなことはない。
【００１０】
なお、コンセント１の凹部１２へのアダプター２の装着状態は、機械的ロック手段（図示せず）などを設けることで、不用意に外れてしまうことがないようにしておくことが好ましく、また磁力によって装着状態が保たれるようにしてもよい。
さらには、コンセント１にアダプター２を装着した状態では、アダプター２のコンセント部２０への電源プラグ３０の装着や取外しが行えないようにしておくと、コンセント１にアダプター２が装着された状態で放置されることが無くなることになって好ましい。
【００１１】
図２に示すものは、雨水や散水の飛沫が凹所２３内に入ってくることがないように、また防塵等のために、アダプター２の凹所２３の開口面のところにヒンジ２６によって枢着された扉２５を配して、開口面を閉じることができるようにしたものを示している。この扉２５は負荷３の電源プラグ３０をコンセント部２０に接続する時、電源プラグ２０に押されて回動して凹所２３内に納まる。電源プラグ２０を抜けば、扉２５は自重によって閉じる方向に回動する。
【００１２】
扉２５は図３に示すようにスライド自在なものとしてもよく、この場合、扉２５を閉める方向に付勢するばね２７を設けておくと、扉２７を開いたままとしたために扉２７を設けた意味合いがなくなるという事態を招くことがなく、また感電防止やコンセント部２０の腐食、汚れの防止にも効果的である。なお、図示例においては被誘導コイル２１の下方空間を扉２７のスライド用の空間として用いているために、スライド自在な扉２７を設けることによるアダプター２の大型化は生じない。
【００１３】
なお、晴天時にしか使用しない負荷３の接続にのみ使用するアダプター２であれば、図４に示すように、アダプター２の外面にコンセント部２０を露出させたものであってもよい。また上記コンセント１は、アダプター２を介しての負荷３の接続だけでなく、図５に示すように被誘導コイル２１と電源調整部２２とを内蔵している専用負荷（図示例はランプ）５の接続にも利用することができる。
【００１４】
図６はコンセント１のインバータ１０及びアダプター２の商用電源負荷用の電源調整部２２の具体例を示しており、ＡＣ１００Ｖ６０Ｈｚ入力をＣ級共振型インバータ１０で５０ｋＨｚの高周波に変換して誘導コイル１１に印加し、被誘導コイル２１に励起された高周波はハーフブリッジ回路で構成した電源調整部２２によってＡＣ１００Ｖ６０Ｈｚに変換している。
【００１５】
図７は複数の負荷３、殊に電源仕様が異なる複数の負荷３をコンセント１に同時接続することができるようにしたアダプター２を示しており、ここにおけるアダプター１は、コンセント１への装着時に誘導コイル１１の磁界内におかれる２つの被誘導コイル２１，２１と、各被誘導コイル２１に接続された電源調整部２２，２２と、各電源調整部２２，２２に接続されたコンセント部２０，２０とを備えたものとなっている。そして２つの電源調整部２２，２２のうちの一方はたとえば商用電源を、他方は直流電源を出力するものとしておけば、商用電源を使用する負荷３と、直流電源を使用する負荷３との同時接続が可能となる。図８に示すように、２つの電源調整部２２，２２が１つの被誘導コイル２１を共有するものであってもよい。
【００１６】
また、被誘導コイル２１を内蔵するアダプター２内において、図９に示すように、電源調整部２２とコンセント部２０とからなるブロックを着脱自在として、電源調整部２２及びコンセント部２０を仕様の異なるものに交換することができるようにしておいてもよい。図中２４は被誘導コイル２１と電源調整部２２との間の接続のための端子部を示している。この端子部２４に代えて、図１０に示すように、第２次誘導コイル２８と第２次被誘導コイル２９との電磁誘導による非接触電力伝送を用いてもよい。
【００１７】
庭に設置する場合を例に説明したが、該コンセント１は屋上や屋内での水回り、たとえば風呂場やキッチン等の水がかかるような場所にも好適に用いることができるほか、水中への設置も可能である。
また、２線式のものを示したが、３相３線式、４相４線式などの多相配線にも適用することができるのはもちろんである。
【００１８】
【発明の効果】
以上のように本発明においては、コンセントとの間で電磁誘導による非接触電力伝送を行うアダプターを設けて該アダプターに負荷接続用のコンセント部を設けていることから、コンセントに通常の負荷を接続することができるにもかかわらず、コンセントそのものは冠水しても問題を招くことがない完全防水構造とすることができるものであり、このために従来の防水コンセントよりも安全性が高くなる上に、コンセントの設置場所等についての制限もなくなるものである。
【００１９】
しかも上記アダプターは下方に開口する凹所を備えたものとし、負荷接用のコンセント部は上記凹所内に配したものとしていることから、負荷接続中のアダプターのコンセント部についての防水も図ることができるために、使い勝手が向上する。
また上記凹所の開口面に開閉自在な扉を設けておけば、特に該扉を閉じる方向にばね付勢されたものとしておくと、コンセント部についての防水防塵性がより高くなるとともに感電やコンセント部の腐食等の防止を図ることができる。
【図面の簡単な説明】
【図１】本発明の実施の形態の一例の概略断面図である。
【図２】同上の他例の概略断面図である。
【図３】更に他例の概略断面図である。
【図４】別の例の概略断面図である。
【図５】他の使用例を示す概略断面図である。
【図６】インバータ及び電源調整部の具体例を示す回路図である。
【図７】他の実施の形態の一例を示すブロック回路図である。
【図８】同上の他例を示すブロック回路図である。
【図９】別の実施の形態の一例を示すブロック回路図である。
【図１０】同上の他例を示すブロック回路図である。
【符号の説明】
１  コンセント
２  アダプター
３  負荷
１１  誘導コイル
２０  コンセント部
２１  被誘導コイル
２２  電源調整部
【図１】
0003627421.tif 000002
【図２】
0003627421.tif 000003
【図３】
0003627421.tif 000004
【図４】
0003627421.tif 000005
【図５】
0003627421.tif 000006
【図６】
0003627421.tif 000007
【図７】
0003627421.tif 000008
【図８】
0003627421.tif 000009
【図９】
0003627421.tif 000010
【図１０】
0003627421.tif 000011